(57)【要約】【課題】生け簀網に付着した貝類や海草等の除去を定期的に行うことができ、また、生け簀網の清掃にかかる費用を低減することができる生け簀ユニットを提供する。【解決手段】生け簀ユニットは、少なくとも底部分２２および側部分２４を有する生け簀網２０と、生け簀網２０における底部分２２および側部分２４により区画される生け簀領域内で移動する可動底部材１２を備えた引き揚げ部１０と、生け簀網２０の側部分２４の内側面に対向するよう引き揚げ部１０に設けられ、当該引き揚げ部１０の可動底部材１２が生け簀領域内で移動する際に生け簀網２０の側部分２４を清掃する清掃部材１４とを備えている。【選択図】図１
2019165651.tif 000002
【特許請求の範囲】
【請求項１】
少なくとも底部分および側部分を有する生け簀網と、
前記生け簀網における前記底部分および前記側部分により区画される生け簀領域内で移動する可動底部材を備えた引き揚げ部と、
前記生け簀網の前記側部分の内側面に対向するよう前記引き揚げ部に設けられ、当該引き揚げ部の前記可動底部材が前記生け簀領域内で移動する際に前記生け簀網の前記側部分を清掃する清掃部材と、
を備えた、生け簀ユニット。
【請求項２】
前記清掃部材はブラシである、請求項１記載の生け簀ユニット。
【請求項３】
前記引き揚げ部において、前記清掃部材の上方には、前記生け簀領域内において前記可動底部材よりも上方の領域に存在する魚類が前記清掃部材に接触するのを防止するためのカバー部材が設けられている、請求項１または２記載の生け簀ユニット。
【請求項４】
少なくとも底部分および側部分を有しており、岸壁に対して移動可能となっている生け簀網と、
前記生け簀網の前記側部分の外側面に対向するよう前記岸壁に設けられ、前記生け簀網が前記岸壁に対して移動する際に前記生け簀網の前記側部分を清掃する清掃部材と、
を備えた、生け簀ユニット。
【発明の詳細な説明】
【技術分野】
【０００１】
本発明は、少なくとも側部分および底部分を有する生け簀網を備えた生け簀ユニットに関する。
【背景技術】
【０００２】
養殖用の生け簀網として、金網やプラスチック網等が用いられている。このような生け簀網は長期に亘って海中に漬されているため、貝類や海草等が生け簀網に付着することがある。生け簀網に貝類や海草等が付着すると、生け簀網内の海水の入れ替わりが阻害されて酸欠状態となり、養殖中の魚類の大量死につながるおそれがある。このため、生け簀網を定期的に清掃する必要がある。
【０００３】
従来は、潜水具をつけた作業員が潜水しながらノズルを使って、船上のポンプから送られた高圧の水流にて生け簀網に付着した貝類や海草等の除去を行なっていた。しかしながら、作業員の確保の困難さと老齢化とにより、近年ではこの作業を機械化する傾向にある。機械的に生け簀網を清掃する清掃装置としては例えば特許文献１乃至５に開示されるものが知られている。
【先行技術文献】
【特許文献】
【０００４】
【特許文献１】特許第２６８３６１６号
【特許文献２】特開平８−２２８６４１号公報
【特許文献３】特開平９−９８１８号公報
【特許文献４】実開平７−１７０５５号公報
【特許文献５】特開平１０−９８９８３号公報
【発明の概要】
【発明が解決しようとする課題】
【０００５】
特許文献１乃至５に開示されるような清掃装置を用いて生け簀網を機械的に清掃する場合には、当該清掃装置のモータ等を駆動するために電力が必要となるため電気代がかかるという問題がある。また、このような清掃装置は海中で用いられるため部品が錆びてしまうおそれがあり、清掃装置を定期的にメンテナンスしなければならないという問題がある。
【０００６】
本発明は、このような点を考慮してなされたものであり、生け簀網に付着した貝類や海草等の除去を定期的に行うことができ、また、生け簀網の清掃にかかる費用を低減することができる生け簀ユニットを提供することを目的とする。
【課題を解決するための手段】
【０００７】
本発明の生け簀ユニットは、少なくとも底部分および側部分を有する生け簀網と、前記生け簀網における前記底部分および前記側部分により区画される生け簀領域内で移動する可動底部材を備えた引き揚げ部と、前記生け簀網の前記側部分の内側面に対向するよう前記引き揚げ部に設けられ、当該引き揚げ部の前記可動底部材が前記生け簀領域内で移動する際に前記生け簀網の前記側部分を清掃する清掃部材と、を備えたことを特徴とする。
【０００８】
このような生け簀ユニットによれば、生け簀網を機械的に清掃する清掃装置を用いることなく生け簀網内の魚類が引き揚げ部により引き揚げられる度に生け簀網を清掃することができるため、生け簀網に付着した貝類や海草等の除去を定期的に行うことができ、また、生け簀網の清掃にかかる費用を低減することができる。
【０００９】
本発明の生け簀ユニットにおいては、前記清掃部材はブラシであってもよい。
【００１０】
本発明の生け簀ユニットにおいては、前記引き揚げ部において、前記清掃部材の上方には、前記生け簀領域内において前記可動底部材よりも上方の領域に存在する魚類が前記清掃部材に接触するのを防止するためのカバー部材が設けられていてもよい。
【００１１】
本発明の生け簀ユニットは、少なくとも底部分および側部分を有しており、岸壁に対して移動可能となっている生け簀網と、前記生け簀網の前記側部分の外側面に対向するよう前記岸壁に設けられ、前記生け簀網が前記岸壁に対して移動する際に前記生け簀網の前記側部分を清掃する清掃部材と、を備えたことを特徴とする。
【００１２】
このような生け簀ユニットによれば、生け簀網を機械的に清掃する清掃装置を用いることなく生け簀網内の魚類が生け簀網ごと引き揚げられる度に生け簀網を清掃することができるため、生け簀網に付着した貝類や海草等の除去を定期的に行うことができ、また、生け簀網の清掃にかかる費用を低減することができる。
【発明の効果】
【００１３】
本発明の生け簀ユニットによれば、生け簀網に付着した貝類や海草等の除去を定期的に行うことができ、また、生け簀網の清掃にかかる費用を低減することができる。
【図面の簡単な説明】
【００１４】
【図１】本発明の実施の形態による生け簀ユニットの構成の一例を示す斜視図である。
【図２】図１に示す生け簀ユニットの側面図である。
【図３】図１に示す生け簀ユニットの生け簀網の底部分や側部分の材料を示す図である。
【図４】本発明の実施の形態による生け簀ユニットの構成の他の例を示す斜視図である。
【図５】図４に示す生け簀ユニットの側面図である。
【発明を実施するための形態】
【００１５】
以下、図面を参照して本発明の実施の形態について説明する。図１乃至図５は、本実施の形態に係る生け簀ユニットを示す図である。このうち、図１は、本実施の形態による生け簀ユニットの構成の一例を示す斜視図であり、図２は、図１に示す生け簀ユニットの側面図である。また、図３は、図１に示す生け簀ユニットの生け簀網の底部分や側部分の材料を示す図である。また、図４は、本実施の形態による生け簀ユニットの構成の他の例を示す斜視図であり、図５は、図４に示す生け簀ユニットの側面図である。
【００１６】
図１に示すように、本実施の形態による生け簀ユニットは、底部分２２および側部分２４を有する生け簀網２０と、生け簀網２０における底部分２２および側部分２４により区画される生け簀領域から魚類を引き揚げるための引き揚げ部１０とを備えている。図１に示す例では生け簀網２０は略直方体形状となるよう配置されているが、このような形状に限定されることはない。また、引き揚げ部１０は、生け簀網２０における底部分２２および側部分２４により区画される生け簀領域内で移動する略四角形形状の可動底部材１２と、可動底部材１２の四隅からそれぞれ上方に延びる４つの支持部材１８とを有しており、各支持部材１８を上下させることにより可動底部材１２が生け簀領域内で上下方向に移動するようになっている。また、引き揚げ部１０の可動底部材１２には、生け簀網２０の側部分２４を清掃するためのブラシ等の清掃部材１４が生け簀網２０の側部分２４の内側面に対向するよう設けられている。そして、可動底部材１２が生け簀領域内で上下方向に移動する際に、生け簀網２０の側部分２４が清掃部材１４により清掃されるようになっている。このような生け簀ユニットの各構成部材の詳細について以下に説明する。
【００１７】
生け簀網２０の底部分２２および側部分２４はそれぞれトリカルネット等の高分子ポリエチレンを材料とする網から構成されている。このような生け簀網２０の底部分２２および側部分２４として用いられるトリカルネットを図３に示す。なお、生け簀網２０の底部分２２および側部分２４の材料は高分子ポリエチレンに限定されることはない。生け簀網２０の底部分２２および側部分２４として金属網が用いられるようになっていてもよい。
【００１８】
引き揚げ部１０の可動底部材１２は、例えばトリカルネット等の高分子ポリエチレンを材料とする網から構成されている。図２に示すように、このような可動底部材１２は、樹脂または金属から構成される枠状のフレーム１３に張られている。なお、図１ではブラシ等の清掃部材１４を見やすくするためにフレーム１３の図示を省略している。生け簀網２０における底部分２２および側部分２４により区画される生け簀領域において、魚類は可動底部材１２よりも上方の領域に入れられるようになっている。このため、生け簀網２０から魚類を引き揚げる際には、可動底部材１２を上方に移動させることにより、生け簀領域内の魚類も当該生け簀領域の上部に移動させられ、この移動させられた魚類が作業員によって例えば柄付きの網により引き揚げられるようになる。また、支持部材１８は例えば棒状部材やロープ等から構成されている。
【００１９】
また、本実施の形態では、引き揚げ部１０のフレーム１３には、例えばナイロン製のブラシ等の清掃部材１４が生け簀網２０の側部分２４の内側面に向かって延びるよう取り付けられており、この清掃部材１４の先端部分は生け簀網２０の側部分２４の内側面に接触するようになっている。このため、引き揚げ部１０の可動底部材１２が生け簀領域内で上下方向に移動すると、生け簀網２０の側部分２４が清掃部材１４の先端部分によって摺られることにより、この側部分２４の清掃が行われるようになる。なお、生け簀網２０の側部分２４を清掃するための清掃部材１４はブラシに限定されることはない。引き揚げ部１０の可動底部材１２が生け簀領域内で移動する際に生け簀網２０の側部分２４を摺ることにより当該側部分２４を清掃することができるものであれば、清掃部材１４としてブラシ以外のものが用いられてもよい。
【００２０】
また、図２に示すように、引き揚げ部１０において、ブラシ等の清掃部材１４の上方には、生け簀領域内において可動底部材１２よりも上方の領域に存在する魚類が清掃部材１４に接触するのを防止するためのカバー部材１６が設けられている。このようなカバー部材１６はフレーム１３に取り付けられている。具体的には、フレーム１３にはカバー部材１６が生け簀網２０の側部分２４の内側面に向かって斜め上方に延びるよう取り付けられているが、このカバー部材１６の先端部分は生け簀網２０の側部分２４の内側面からわずかに離間するようになっている。このようなカバー部材１６が設けられていることにより、生け簀領域内において可動底部材１２よりも上方の領域に存在する魚類がブラシ等の清掃部材１４に接触してしまい当該清掃部材１４により傷つけられてしまうことを防止することができる。なお、図１ではブラシ等の清掃部材１４を見やすくするためにカバー部材１６の図示を省略している。
【００２１】
また、図１に示すように、生け簀網２０の上方にはシャッタ３０が設けられており、生け簀ユニットの通常の使用時にはこのシャッタ３０により生け簀網２０の上部開口が塞がれるようになっている。このようなシャッタ３０を設けることにより、生け簀網２０の上部開口から生け簀領域に貝類や海草等が入ってしまうことを防止することができるようになる。また、シャッタ３０により生け簀網２０の上部開口が塞がれると、生け簀網２０内の生け簀領域が暗くなるが、このような暗い環境は魚類の生態にとって好ましいものである。
【００２２】
次に、このような生け簀ユニットの動作について説明する。
【００２３】
生け簀ユニットの通常の使用時には、引き揚げ部１０の可動底部材１２が生け簀網２０の底部分２２の近傍に位置するよう当該可動底部材１２を生け簀領域の下部に位置させておく。そして、漁船等によって獲られた魚類の量が多い場合には、魚類の出荷量を調整するために、生け簀網２０の中に魚類を入れる。この際に、生け簀網２０の中に入れられた魚類は、生け簀網２０の底部分２２および側部分２４により区画される生け簀領域のうち引き揚げ部１０の可動底部材１２よりも上方の領域に存在するようになる。
【００２４】
生け簀網２０内の生け簀領域に存在する魚類を引き揚げたい場合には、まずシャッタ３０を移動させて生け簀網２０の上部開口を開くようにする。次に各支持部材１８を上方に引っ張ることにより、生け簀領域内で可動底部材１２を上方に移動させる。このことにより、生け簀領域内の魚類も当該生け簀領域の上部に移動させられ、この移動させられた魚類が作業員によって例えば柄付きの網により引き揚げられるようになる。また、生け簀領域内で可動底部材１２が上方に移動する際に、引き揚げ部１０のフレーム１３に取り付けられている清掃部材１４の先端部分が生け簀網２０の側部分２４の内側面に接触しているため、生け簀網２０の側部分２４が清掃部材１４の先端部分によって摺られるようになる。このことにより、生け簀網２０の側部分２４に付着している貝類や海草等がブラシ等の清掃部材１４により除去される。生け簀領域内で可動底部材１２が上方に移動させられ、生け簀領域内の魚類が引き揚げられた後、可動底部材１２は生け簀領域内で下方に移動させられる。この際にも生け簀網２０の側部分２４が清掃部材１４の先端部分によって摺られるようになるため、生け簀網２０の側部分２４に付着している貝類や海草等がブラシ等の清掃部材１４により更に除去される。このように、本実施の形態では、生け簀網２０内の生け簀領域に存在する魚類が引き揚げられる度に、生け簀網２０の側部分２４の清掃が行われるようになる。
【００２５】
以上のような構成からなる生け簀ユニットによれば、生け簀網２０の側部分２４の内側面に対向するようブラシ等の清掃部材１４が引き揚げ部１０（具体的には、引き揚げ部１０のフレーム１３）に設けられており、引き揚げ部１０の可動底部材１２が生け簀領域内で移動する際に生け簀網２０の側部分２４が清掃部材１４により清掃されるようになっている。この場合には、生け簀網２０を機械的に清掃する清掃装置を用いることなく生け簀網２０内の魚類が引き揚げ部１０により引き揚げられる度に生け簀網２０を清掃することができるため、生け簀網２０に付着した貝類や海草等の除去を定期的に行うことができ、また、生け簀網２０の清掃にかかる費用を低減することができる。
【００２６】
なお、本実施の形態による生け簀ユニットは図１および図２に示すような構成のものに限定されることはない。本実施の形態による生け簀ユニットの他の例として、図４および図５に示すようなものが用いられてもよい。
【００２７】
図４および図５に示すように、本実施の形態の他の例による生け簀ユニットは、漁港等の岸壁４０の近傍に配置され、底部分５２および側部分５４を有する生け簀網５０と、岸壁４０に取り付けられた清掃部材支持部６０と、清掃部材支持部６０により支持されるブラシ等の清掃部材６２とを備えている。より詳細には、漁港等において岸壁４０より生け簀網５０の収容スペースが区画されるようになっており、この収容スペースに生け簀網５０が海中で収容されるようになっている。なお、図４および図５に示す例では生け簀網５０は略直方体形状となるよう配置されているが、このような形状に限定されることはない。また、生け簀網５０の底部分５２および側部分５４の材料は、図１および図２に示す生け簀網２０の底部分２２および側部分２４の材料と略同一となっている。また、図４および図５に示す例では生け簀網５０自体を収容スペースから上方に移動させることによりこの生け簀網５０内の生け簀領域に存在する魚類を引き揚げるようになっている。
【００２８】
また、図５に示すように、収容スペースに収容される生け簀網５０の側部分５４の外側面の上部に対向するようブラシ等の清掃部材６２が清掃部材支持部６０により岸壁４０に取り付けられている。このような清掃部材６２の材料は、図１および図２に示す清掃部材１４の材料と略同一となっている。また、図４に示すように清掃部材支持部６０は生け簀網５０を取り囲むような枠状のものとなっており、このような清掃部材支持部６０から清掃部材６２が生け簀網５０の側部分５４に向かって内方に延びるようになっている。また、清掃部材支持部６０により支持される清掃部材６２の先端部分は生け簀網５０の側部分５４の外側面に接触するようになっている。このため、生け簀網５０が岸壁４０に対して上下方向に移動すると、生け簀網５０の側部分５４が清掃部材６２の先端部分によって摺られることにより、この側部分５４の清掃が行われるようになる。
【００２９】
次に、このような生け簀ユニットの動作について説明する。
【００３０】
生け簀ユニットの通常の使用時には、漁港等において岸壁４０より区画される収容スペースに生け簀網５０が海中で収容されている。そして、漁船等によって獲られた魚類の量が多い場合には、魚類の出荷量を調整するために、生け簀網５０の中に魚類を入れる。  
【００３１】
生け簀網５０内の生け簀領域に存在する魚類を引き揚げたい場合には、生け簀網５０自体を岸壁４０に対して上方に移動させる。このことにより、生け簀網５０内の生け簀領域に存在する魚類が引き揚げられるようになる。また、生け簀網５０が岸壁４０に対して上方に移動する際に、清掃部材支持部６０により岸壁４０に取り付けられている清掃部材６２の先端部分が生け簀網５０の側部分５４の外側面に接触しているため、生け簀網５０の側部分５４が清掃部材６２の先端部分によって摺られるようになる。このことにより、生け簀網５０の側部分５４に付着している貝類や海草等がブラシ等の清掃部材６２により除去される。生け簀網５０が岸壁４０に対して上方に移動させられ、この生け簀網５０内の生け簀領域に存在する魚類が引き揚げられた後、生け簀網５０は岸壁４０に対して下方に移動させられる。この際にも生け簀網５０の側部分５４が清掃部材６２の先端部分によって摺られるようになるため、生け簀網５０の側部分５４に付着している貝類や海草等がブラシ等の清掃部材６２により更に除去される。このように、本実施の形態では、生け簀網５０内の生け簀領域に存在する魚類が引き揚げられる度に、生け簀網５０の側部分５４の清掃が行われるようになる。
【００３２】
以上のような構成からなる生け簀ユニットによれば、生け簀網５０の側部分５４の外側面に対向するよう清掃部材６２が岸壁４０に設けられており、生け簀網５０が岸壁４０に対して移動する際に生け簀網５０の側部分５４が清掃部材６２により清掃されるようになっている。この場合には、生け簀網５０を機械的に清掃する清掃装置を用いることなく生け簀網５０内の魚類が生け簀網５０ごと引き揚げられる度に生け簀網５０を清掃することができるため、生け簀網５０に付着した貝類や海草等の除去を定期的に行うことができ、また、生け簀網５０の清掃にかかる費用を低減することができる。
【００３３】
なお、本実施の形態による生け簀ユニットは、上述したような態様に限定されることはなく、様々な変更を加えることができる。
【００３４】
例えば、生け簀網内の生け簀領域にマイクロバブルを供給するジェットノズル等のマイクロバブル発生器を設けてもよい。このようなマイクロバブル発生器により発生したマイクロバブルを生け簀網内の生け簀領域に供給すると、生け簀領域に存在する魚類の動きが遅くなる。この場合には、生け簀領域内の魚類が生け簀網の側部分等に衝突してしまうことを抑制することができるため、魚類が傷ついてしまうことを防止することができるようになる。
【００３５】
また、本発明による生け簀ユニットは図１および図２に示す構成のものや図４および図５に示す構成のものに限定されることはない。位置固定で設けられた生け簀網に対して生け簀領域内の魚類を引き揚げるための引き揚げ部に設けられたブラシ等の清掃部材を移動させるか、または位置固定で設けられたブラシ等の清掃部材に対して生け簀網を移動させることにより生け簀網の側部分が清掃部材によって摺られるものであれば、上述した構成以外のものが用いられてもよい。
【符号の説明】
【００３６】
１０  引き揚げ部
１２  可動底部材
１３  フレーム
１４  清掃部材
１６  カバー部材
１８  支持部材
２０  生け簀網
２２  底部分
２４  側部分
３０  シャッタ
４０  岸壁
５０  生け簀網
５２  底部分
５４  側部分
６０  清掃部材支持部
６２  清掃部材
【図１】
2019165651.tif 000003
【図２】
2019165651.tif 000004
【図３】
2019165651.tif 000005
【図４】
2019165651.tif 000006
【図５】
2019165651.tif 000007